(57)【要約】【課題】設置の自由度が高く、施工が容易な空気調和機を提供すること。【解決手段】空気調和機１０１は室外に設置され、被空調室につながった吸込ダクト１０２および吹出ダクト１０３と接続している。そして、送風機１０８、室内熱交換器１１０、を備えると共に、空質調整手段として全熱交換器１１１と給気口１１２、排風機を持つ排気装置１１３を備えている。本実施の形態においては、給気口１１２は排気装置１１３よりも送風機１０８に近い位置に配置されている。  被空調室から離れて設置することにより、設置スペースの制約を緩和することができ、本体から給気あるいは排気スペースまでのダクト敷設を省略できる。  また、送風機１０８を利用して給気を導入することで、給気用の送風機を用いずとも第１種換気を行うことができ、全熱交換器１１１により熱ロスを抑えることができる。【選択図】図１
2005233469.tif 000002
【特許請求の範囲】
【請求項１】
被空調室から調整前空気を吸い込むための吸込口と、調整を施した後の調整空気を前記被空調室に送り出すための吹出口と、前記調整前空気を冷却あるいは加熱するための室内熱交換器と前記調整前空気および前記調整空気を循環させるための送風手段からなる温度調整手段と、前記調整前空気あるいは調整空気に冷却および加熱以外の処理を施す空質調整手段とを備え、前記吸込口および前記吹出口と前記被空調室とダクトによって接続し、前記被空調室から離れて設置することを特徴とする空気調和機。
【請求項２】
前記空質調整手段が換気手段であり、換気のできる空間に設置することを特徴とする請求項１に記載の空気調和機。
【請求項３】
前記換気手段の構成要素として、送風経路において前記送風手段の手前に給気口を設けたことを特徴とする請求項２に記載の空気調和機。
【請求項４】
前記換気手段の構成要素として、送風経路において前記給気口の手前に排気手段を設けたことを特徴とする請求項３に記載の空気調和機。
【請求項５】
前記換気手段の構成要素として、送風経路において前記送風手段の後ろに排気口を設けたことを特徴とする請求項２に記載の空気調和機。
【請求項６】
前記換気手段の構成要素として、送風経路において前記排気口の後ろに給気手段を設けたことを特徴とする請求項５に記載の空気調和機。
【請求項７】
前記換気手段の構成要素として、給気と排気の間で熱交換する換気熱交換手段を設けたことを特徴とする請求項４または６に記載の空気調和機。
【請求項８】
室外空気と熱交換する室外熱交換器と、室外送風手段と、圧縮機とを備えた熱源機と接続してヒートポンプサイクルを構成するとともに、前記換気手段の排気を前記室外熱交換器で利用することを特徴とする請求項４から請求項７いずれか１項に記載の空気調和機。
【発明の詳細な説明】
【技術分野】
【０００１】
本発明は、吸込空気あるいは吹出空気を、ダクトを通して搬送するよう構成され、室内の温度調整や換気を行うダクトタイプの空気調和機に関するものである。
【背景技術】
【０００２】
従来、図３に示すようにダクトタイプの空気調和機は、天井埋め込み形の本体３０１と、本体３０１にダクト３０２、３０３で接続された吸込口３０４と吹出口３０５から構成されるのが一般的である。図３において、本体３０１は天井面３０６の裏に設置されており、冷媒配管３０８で室外ユニットと接続されている（例えば、特許文献１または２参照）。
【０００３】
そして、室内の空気を矢印３０９のように吸込口３０４から吸い込み、本体３０１で空調した後吹出口３０５から矢印３１０のように吹出す。本体３０１には、空気を循環させるための室内ファン３１３、空気を冷却あるいは加熱するための室内熱交換器３１５が配備され、接続配管３０８により室外機と接続される。他に、ドレン配管３１１が敷設され、集塵フィルタ３０７が装備されている。
【０００４】
図３の空気調和機においては、換気を行う場合、排気ダクト３３０や給気ダクト３３１を設け、給気口や排気装置に接続し、矢印３３２、３３３のようにそれぞれの空気を搬送する。そして、換気用の装置類も通常天井裏に設置される。
【特許文献１】特開平５−１５７２７３号公報
【特許文献２】特開平１０−２５９６号公報
【発明の開示】
【発明が解決しようとする課題】
【０００５】
しかしながら、従来のダクトタイプの空気調和機においては、本体および換気用の装置類の取付け場所は天井裏であった。そのため、天井裏のスペースの小さな家屋には設置が困難であるという課題があった。
【０００６】
また、従来のダクトタイプの空気調和機において換気などの空質調整を連動して行う場合、温調を行う装置と空質調整を行う装置が別々であり、冷媒配管の施工、本体および空質調整装置用ダクトの敷設と施工作業が多いという課題があった。
【０００７】
本発明は、前記従来の課題を解決するもので、設置の自由度が高く、施工を容易とした空気調和機を提供することを目的とする。
【課題を解決するための手段】
【０００８】
前記従来の課題を解決するために、本発明の空気調和機は、室内熱交換器と送風手段と空質調整手段を備え、吸込口および吹出口と被空調室とダクトによって接続し被空調室から離れて設置するものである。
【０００９】
これによって、温度調整手段と空質調整手段とを接続するダクトの敷設を省略でき施工が容易となり、被空調室から離れるので設置スペースの制約を緩和できる。
【発明の効果】
【００１０】
本発明の空気調和機は、被空調室から離れるので設置スペースの制約を緩和することができ、施工が容易となる。
【００１１】
さらに、本発明の空気調和機は、本体から給気あるいは排気スペースまでのダクトの敷設を省略でき、施工が容易となる。
【００１２】
また、本発明の空気調和機は、給気送風機を追加することなく第２種換気を行うことができる。
【００１３】
また、本発明の空気調和機は、給気送風機を追加することなく第１種換気を行うことができる。
【００１４】
また、本発明の空気調和機は、排風機を追加することなく第３種換気を行うことができる。
【００１５】
また、本発明の空気調和機は、排風機を追加することなく第１種換気を行うことができる。
【００１６】
また、本発明の空気調和機は、熱損失の少ない第１種換気を行うことができる。
【００１７】
また、本発明の空気調和機は、換気排気の熱を熱源機に利用することで、温度調整能力の向上あるいは熱源機入力の低減を行うことができる。
【発明を実施するための最良の形態】
【００１８】
第１の発明は、吸込口と、吹出口と、室内熱交換器と送風手段からなる温度調整手段と、空質調整手段とを備え、吸込口および吹出口と被空調室とダクトによって接続し、前記被空調室から離れて設置することにより、温度調整手段と空質調整手段とを接続するダクトの敷設を省略でき、被空調室から離れて設置することが可能となり、施工が容易になるとともに設置スペースの制約を緩和することができる。
【００１９】
第２の発明は、特に、第１の発明の空質調整手段を換気手段とし、給気あるいは排気スペースに設置することにより、空調用ダクトを換気用ダクトしても兼用することができ、換気用のダクト敷設や穴開けを省略することができる。
【００２０】
第３の発明は、特に、第２の発明の送風経路において、送風手段の手前に給気口を設けることにより、吸気用送風手段を設けずとも外気導入が可能となり、簡単な装置構成で第２種換気をすることができる。
【００２１】
第４の発明は、特に、第３の発明の送風経路において、給気口の手前に排気手段を設けることにより、吸気用送風手段を設けずとも吸気排気が可能となり、簡単な装置構成で第１種換気をすることができる。
【００２２】
第５の発明は、特に、第２の発明の送風経路において前記送風手段の後ろに排気口を設けることにより、排風機を追加しなくても排気が可能となり、簡単な装置構成で第３種換気を行うことができる。
【００２３】
第６の発明は、特に、第５の発明の送風経路において前記排気口の後ろに給気手段を設けることにより、排風機を追加しなくても吸気排気を行うことが可能となり、簡単な構成で第１種換気を行うことができる。
【００２４】
第７の発明は、特に、第４の発明または第６の発明における前記換気手段を構成する要素として、給気と排気の間で熱交換する換気熱交換手段を設けることにより、排気の冷温
熱を回収することが可能となり、効率の良い換気を行うことができる。
【００２５】
第８の発明は、特に、第４〜７のいずれかの発明において、室外空気と熱交換する室外熱交換器と、室外送風手段と、圧縮機とを備えた熱源機と接続して冷凍サイクルあるいはヒートポンプサイクルを構成するとともに、前記換気手段の排気を前記室外熱交換器で利用することにより、簡単な構成で排気の冷温熱を回収することが可能となり、温度調整能力の向上あるいは熱源機入力の低減を行うことができる。
【００２６】
以下、本発明の実施の形態について、図面を参照しながら説明する。なお、この実施の形態によって本発明が限定されるものではない。
【００２７】
（実施の形態１）
図１は、本発明における第１の実施の形態である空気調和機の構成図を示すものである。
【００２８】
図１において、空気調和機１０１は室外に設置され、被空調室につながった吸込ダクト１０２および吹出ダクト１０３と、吸込口１０４および吹出口１０５で接続し、調整前空気１０６を取り込み調整空気１０７を被空調室へ送る。そして、空気調和機１０１は調整前空気および調整空気を循環させるための送風機１０８、エアガイダー１０９、空気を冷却あるいは加熱するための室内熱交換器１１０、ドレンを受けるためのドレン受け皿１１４を備えると共に、空質調整手段として全熱交換器１１１と給気口１１２、排風機を持つ排気装置１１３を備えている。本実施の形態においては、給気口１１２は排気装置１１３よりも送風機１０８に近い位置に配置されている。本来、全熱交換器１１１は空気調和機１０１の一部であり、一体に構成されるが、説明上図１では分離して図示している。
【００２９】
全熱交換器１１１では、吸い込み外気１１５を外気入口１１６より取り込み、室内吸い込み空気１１８として外気出口１１７から給気口１１２へ送る。一方、室内排気１１９は排気装置１１３から排気入口１２０へ送られ、排気出口１２１から排気１２２として室外に放出される。
【００３０】
以上のように構成された空気調和機について、以下その動作、作用を説明する。
【００３１】
まず、温度調節は調整前空気１０６を吸込口１０４より取り込み、送風機吸込空気１２３として送風機１０８吸い込まれ送風機吹出空気１２４として室内熱交換器１１０に送られ、冷房であれば冷却され、暖房であれば加熱されて吹出口１０５より調整空気１０７として室内へ送られる。冷房などの際に生じたドレン水はドレン受け皿１１４に集められ機外へ排出される。一方換気は、送風機１０８の吸引力により、吸い込み外気１１５を、全熱交換器１１１を通して給気口１１２より室内吸い込み空気１１８として得る。同時に排気装置１１３を駆動させて、室内排気１１９を全熱交換器１１１を通し、排気出口１２１から排気１２２として室外に放出する。換気効率を上げるには、給気口１１２を送風機１０８に近い側に配置し、取り入れた外気を排気しないようにするのが望ましい。
【００３２】
全熱交換器１１１は、透湿性の材料が使用されており、給気と排気の間で熱と水分を交換し、換気による熱ロスを抑えることができる。
【００３３】
図１の構成においては、給気口１１２と排気装置１１３を送風機１０８の吸い込み側に設けたが、給気口１１２だけを設け、被空調室側に排気口を設ければ給気用の送風機を設けなくても第２種換気を行うことができる。
【００３４】
また、図１の構成においては、給気口１１２と排気装置１１３の代わりに、送風機１０
８の吹き出し側に排気口を設け、被空調室側に給気口を設ければ排気用の送風機を設けずとも、第３種換気を行うことができる。
【００３５】
また、図１の構成においては、給気口１１２と排気装置１１３の代わりに、送風機１０８の吹き出し側に排気口と給気手段を設け、排気口を送風機１０８に近い側に配置してやれば、排気用の送風機を設けずとも、第１種換気を行うことができる。
【００３６】
以上のように、本実施の形態においては、被空調室から離れて設置することにより、設置スペースの制約を緩和することができる。
【００３７】
また、本実施の形態では、空質調整手段を換気装置とし、室外に設置して外気入口１１６、排気出口１２１より空気を直接給排することにより、本体から給気あるいは排気スペースまでのダクト敷設を省略できる。
【００３８】
また、本実施の形態では、空気調和機１０１本体の送風機１０８を利用して給気を導入することで、給気用の送風機を用いずとも第１種換気を行うことができる。
【００３９】
また、本実施の形態では、全熱交換器１１１を用いて給気と排気の間で熱交換することにより、換気の際の熱ロスを抑えることができる。
【００４０】
また、本実施の形態の排気装置１１３を用いず、被空調室に排気口を設けることにより、給気用の送風機を設けなくても第２種換気を行うことができる。
【００４１】
また、本実施の形態の給気口１１２と排気装置１１３を用いず、送風機１０８の吹き出し側に排気口を設け、被空調室側に給気口を設ければ排気用の送風機を設けずとも、第３種換気を行うことができる。
【００４２】
また、本実施の形態の給気口１１２と排気装置１１３を用いず、送風機１０８の吹き出し側に排気口と給気手段を設け、排気口を送風機１０８に近い側に配置してやれば、排気用の送風機を設けずとも、第１種換気を行うことができる。
【００４３】
（実施の形態２）
図２は、本発明の第２の実施の形態の空気調和機の構成図である。
【００４４】
図２においては、実施の形態１に示した空気調和機１０１が室外機２０１の上に配置されている。
【００４５】
室外機２０１には、空気調和機１０１とともに冷凍サイクルあるいはヒートポンプサイクルを構成するための圧縮機、室外熱交換器、四方弁、膨張弁、送風機などが設けられている。外気を室外吸込口２０２より吸い込んで、冷房であれば放熱暖房であれば吸熱し、室外吹出口２０３より吹き出す。ここで、空気調和機１０１からの排気１２２は、室外機２０１の室外吸込口２０２に吸い込まれるよう構成されている。
【００４６】
以上のように構成された空気調和機について、以下その動作、作用を説明する。
【００４７】
まず、冷房時を考えると、多くの場合、外気より室内空気よりも温度が低く、換気の際に熱交換しても現実的には全ての冷熱を回収することはできないので、排気１２２の温度は外気の温度よりも低くなっている。この外気よりも幾分温度の低い空気を利用して室外機２０１を運転すると、冷媒の凝縮温度を幾分なりとも下げることができ、室外機２０１の運転に必要な動力を低減することができる。暖房の際はその逆に、外気よりも幾分温度
の高い空気を利用して室外機２０１を運転することになり、冷媒の蒸発温度を上昇させるることができ、室外機２０１の運転に必要な動力を低減することができる。
【００４８】
以上のように、本実施の形態においては、空気調和機１０１の排気１２２を室外機２０１の運転に利用することで、運転に必要な動力を低減することができる。
【図面の簡単な説明】
【００４９】
【図１】本発明の実施の形態１における空気調和機の構成図
【図２】本発明の実施の形態２における空気調和機の構成図
【図３】従来の空気調和機の構成図
【符号の説明】
【００５０】
１０２  吸込ダクト
１０３  吹出ダクト
１０４  吸込口
１０５  吹出口
１０８  送風機
１１０  室内熱交換器
１１１  全熱交換器
１１２  給気口
１１３  排気装置
【図１】
2005233469.tif 000003
【図２】
2005233469.tif 000004
【図３】
2005233469.tif 000005